(57)【要約】【課題】  簡単なシステム構成でＰＯＳデータを顧客に配信することが可能なＰＯＳデータ配信システムを提供する。【解決手段】  レジ端末１２ａは、赤外線受発光部４６を備えている。顧客が商品を購入する際に、赤外線受発光部４６によって携帯電話１４から個人ＩＤを受信する。レジ端末１２ａは、購入商品のＰＯＳデータを個人ＩＤと関連付けして、ＰＯＳ管理サーバ１３に送信して記憶させる。プリンタ部４５は、レシート上に接続情報を印刷する。このレシートは顧客に渡され、顧客は、この接続情報に基づいて携帯電話１４によってＰＯＳデータ管理サーバ１３に接続して、個人ＩＤに対応するＰＯＳデータ、及び店舗データを受信する。店舗データは、ジャンル分けされて携帯電話１４内に記憶される。【選択図】        図３
2006244197.tif 000002
【特許請求の範囲】
【請求項１】
店舗のレジ端末に配置され、顧客が商品の代金を支払った時に、顧客の携帯端末から個人ＩＤを受信する受信手段と、
前記レジ端末に接続され、販売日時、商品名、及び価格情報を含むＰＯＳデータを前記個人ＩＤと関連付けして記憶するＰＯＳデータ管理サーバと、
前記ＰＯＳデータ管理サーバとネットワークを介して接続され、前記ＰＯＳデータ管理サーバから前記個人ＩＤに対応するＰＯＳデータを受信する顧客の受信端末と
を備えていることを特徴とするＰＯＳデータ配信システム。
【請求項２】
前記ＰＯＳデータ管理サーバは、前記ＰＯＳデータとともに店舗データを前記受信端末に送信することを特徴とする請求項１記載のＰＯＳデータ配信システム。
【請求項３】
前記店舗データは、店舗名称、住所、及び電話番号であることを特徴とする請求項１または請求項２記載のＰＯＳデータ配信システム。
【請求項４】
前記レジ端末は、前記ＰＯＳデータ管理サーバに接続するための接続情報をレシート上に印刷することを特徴とする請求項１ないし請求項３のいずれか記載のＰＯＳデータ配信システム。
【請求項５】
前記接続情報は、ＵＲＬ，個人ＩＤ，及びパスワードを示す文字情報であることを特徴とする請求項４記載のＰＯＳデータ配信システム。
【請求項６】
前記接続情報は、ＵＲＬを示す２次元バーコードと、個人ＩＤ及びパスワードを示す文字情報とで構成されていることを特徴とする請求項４記載のＰＯＳデータ配信システム。
【請求項７】
前記受信端末は、前記携帯端末であることを特徴とする請求項１ないし請求項６のいずれか記載のＰＯＳデータ配信システム。
【請求項８】
前記携帯端末は、前記店舗データをジャンル別に登録することを特徴とする請求項７記載のＰＯＳデータ配信システム。
【請求項９】
前記携帯端末は、前記店舗データに基づいて現在地から近い店舗を優先して検索することを特徴とする請求項７または請求項８記載のＰＯＳデータ配信システム。
【発明の詳細な説明】
【技術分野】
【０００１】
本発明は、顧客が購入した商品のＰＯＳデータを配信するＰＯＳデータ配信システムに関する。
【背景技術】
【０００２】
スーパーや、コンビニエンスストア等で商品を購入した場合、顧客は、販売日時、価格、商品名等が記載されたレシートを利用して家計簿を作成していた。しかし、レシートに記載された情報をパソコン等へ入力して家計簿を作成するのは手間と時間がかかるという問題があり、より簡単に家計簿を作成したいという要望があった。
【０００３】
このような問題を解決するために、顧客が商品を購入したときのＰＯＳデータを配信する配信装置と、この配信されたデータを受信する顧客の受信端末とを備えたＰＯＳデータ配信システムが知られている（例えば、特許文献１参照）。この特許文献１に記載のＰＯＳデータ配信システムでは、顧客が商品を購入したときのＰＯＳデータが顧客の受信端末に配信される。このため、購入した商品のデータを容易に取得することができるので、パソコン等への入力操作をせずに家計簿を簡単に作成できる。
【特許文献１】特開２００２−８３３７６号公報
【発明の開示】
【発明が解決しようとする課題】
【０００４】
しかしながら、上記特許文献１に記載のＰＯＳデータ配信システムでは、ＰＯＳデータを顧客毎に管理するＰＯＳデータ管理サーバや、ＰＯＳデータを顧客に配信する際にセキュリティ認証を行うセキュリティサーバ等が店舗に配置されていない。このため、店舗、または店舗を経営する企業が、ＰＯＳデータ管理サーバや、セキュリティサーバ等を運営するサービスプロバイダ等と契約する必要があり、システムを構築するためのコストが高くなるという問題があった。
【０００５】
本発明は上記事情に鑑みてなされたものであり、簡単なシステム構成でＰＯＳデータを顧客に配信することが可能なＰＯＳデータ配信システムを提供することを目的とする。
【課題を解決するための手段】
【０００６】
上記課題を解決するために、本発明のＰＯＳデータ配信システムは、店舗のレジ端末に配置され、顧客が商品の代金を支払った時に、顧客の携帯端末から個人ＩＤを受信する受信手段と、前記レジ端末に接続され、販売日時、商品名、及び価格情報を含むＰＯＳデータを前記個人ＩＤと関連付けして記憶するＰＯＳデータ管理サーバと、前記ＰＯＳデータ管理サーバとネットワークを介して接続され、前記ＰＯＳデータ管理サーバから前記個人ＩＤに対応するＰＯＳデータを受信する顧客の受信端末とを備えていることを特徴とするものである。
【０００７】
また、前記ＰＯＳデータ管理サーバは、前記ＰＯＳデータとともに店舗データを前記受信端末に送信することが好ましい。さらに、前記店舗データは、店舗名称、住所、及び電話番号であることが好ましい。
【０００８】
また、前記レジ端末は、前記ＰＯＳデータ管理サーバに接続するための接続情報をレシート上に印刷することが好ましい。さらに、前記接続情報は、ＵＲＬ，個人ＩＤ，及びパスワードを示す文字情報でも良いし、ＵＲＬを示す２次元バーコードと、個人ＩＤ及びパスワードを示す文字情報とで構成されても良い。
【０００９】
また、前記受信端末は、前記携帯端末であることが好ましい。さらに、前記携帯端末は、前記店舗データをジャンル別に登録することが好ましい。また、前記携帯端末は、前記店舗データに基づいて現在地から近い店舗を優先して検索することが好ましい。
【発明の効果】
【００１０】
本発明のＰＯＳデータ配信システムによれば、受信端末によってＰＯＳデータを容易に取得できるため、家計簿を作成する作業を簡略化することができる。さらに、システムが単純な構成であるため、システムを構築する際のコストを低くすることができる。
【００１１】
また、ＰＯＳデータとともに店舗データが受信端末に送信されるので、受信端末の住所録に店舗の電話番号や住所等を登録する手間を省略することができる。
【００１２】
さらに、ＰＯＳデータ管理サーバへの接続情報がレシート上に印刷されるので、ＰＯＳデータ管理サーバへ簡単に接続することができ、ＰＯＳデータ及び店舗データを容易に取得することができる。
【００１３】
また、携帯端末によって店舗データを取得した時に、店舗データをジャンル毎に分けて記憶させることができるので、登録された店舗データの検索が容易である。さらに、現在地に近い店舗を優先して検索するので、外出時の店舗探しを容易に行うことができる。
【発明を実施するための最良の形態】
【００１４】
図１に示すように、本発明のＰＯＳデータ配信システム１０は、店舗１１内に配置されたレジ端末１２ａ，１２ｂと、ＰＯＳデータを顧客毎に管理するＰＯＳデータ管理サーバ１３とを備えて構成されている。
【００１５】
レジ端末１２ａ，１２ｂは、顧客によって携帯されている携帯端末である携帯電話１４から個人ＩＤを受信する機能を有している。また、ＰＯＳデータ管理サーバ１３は、レジ端末１２ａ，１２ｂと同様に店舗１１内に配置され、レジ端末１２ａ，１２ｂとＬＡＮケーブル（例えば、10BASE-Tや、100BASE-T等のケーブル）１５で接続されている。さらに、ＰＯＳデータ管理サーバ１３は、ネットワークである公衆回線（固定電話及び携帯電話の電話回線）１６及びインターネット１７と接続されている。
【００１６】
携帯電話１１は、後述するように個人ＩＤを送信する機能を有し、レジ端末１２ａ，１２ｂは、顧客によって商品の代金が支払われた時に携帯電話１１から個人ＩＤを受信する。また、レジ端末１２ａ，１２ｂは、顧客によって購入された商品のＰＯＳデータ（販売日時、商品名、価格情報）を個人ＩＤと関連付けして、ＰＯＳデータ管理サーバ１３に送信して記憶させる。
【００１７】
ＰＯＳデータ管理サーバ１３は、公衆回線１６を介して携帯電話１１によって接続可能にされている。さらに、ＰＯＳデータ管理サーバ１３は、インターネット１７を介して携帯電話１１、及び顧客の自宅に配置されたパーソナルコンピュータ（以下、パソコンと称する。）２０と接続可能にされている。
【００１８】
以下に、ＰＯＳデータ配信システム１０の電気的構成について説明する。携帯電話１４は、図２に示すように、全体を制御する制御手段であるシステムコントローラ３０を備えている。このシステムコントローラ３０には、バーコード読み取り部３１、赤外線受発光部３２、データ記憶部３３、インターネット接続部３４、公衆回線接続部３５、操作部３６、通話部３７、及びＧＰＳセンサ３８が接続されている。
【００１９】
バーコード読み取り部３１はカメラ等を備えており、このカメラによってバーコード（例えば、２次元バーコード）を撮像し、この画像データに基づいてバーコードに対応する操作信号をシステムコントローラ３０に出力する。赤外線受発光部３２は、個人ＩＤを送信する送信手段であり、レジ端末１２ａ，１２ｂに設けられた赤外線受発光部との間でデータの送受信を行う。データ記憶部３３には、公衆回線１６またはインターネット１７を介して受信したデータが記憶される。また、システムコントローラ３０には、ジャンル分け部３０ａと検索部３０ｂが設けられており、受信したデータのうち店舗データをジャンル毎に分けてデータ記憶部３３に記憶させる。また、検索部３０ｂは、ジャンル分けされた店舗データに基づいて店舗データの検索を行う。
【００２０】
また、インターネット接続部３４は、無線通信によりインターネット接続を行う。公衆回線接続部３５は、通話部３７によって通話を行う場合や、携帯電話の回線を利用してデータの送受信を行う場合の接続に用いられる。操作部３６は複数のボタンで構成され、これらのボタンが操作された時に対応する操作信号をシステムコントローラ３０に出力する。通話部３７はマイクやスピーカで構成され、通話を行う時に使用される。また、ＧＰＳセンサ３８は、ＧＰＳ衛星からの信号を取得して現在地の位置情報を取得し、この位置情報をシステムコントローラ３０に出力する。
【００２１】
次に、レジ端末１２ａ，１２ｂの電気的構成を説明する。図３に示すように、レジ端末１２ａは、レジ端末全体を制御するＣＰＵ４０を備えている。このＣＰＵ４０には、入力部４１と、ＬＣＤドライバ４２と、ＰＯＳデータ記憶部４３と、店舗データ記憶部４４と、レシートを印刷するプリンタ部４５と、赤外線受発光部４６と、バーコードリーダ４７と、ＬＡＮ接続部４８とが接続されている。
【００２２】
入力部４１は複数のボタンで構成され、店員によって操作された時に対応する操作信号をＣＰＵ４０に出力する。また、ＬＣＤドライバ４２はＣＰＵ４０によって制御され、購入した商品の名称、個数、金額等の情報をＬＣＤ５１，５２に表示させる。
【００２３】
ＰＯＳデータ記憶部４３には、顧客によって購入された商品の情報であるＰＯＳデータ（販売日時、商品名、個数、価格等のデータ）が一時的に記憶される。また、店舗データ記憶部４４には、所定の店舗データ（例えば、店舗名称、住所、電話番号等）が記憶されている。プリント部４５は、顧客によって商品が購入された時に、商品の名称、個数、単価等の情報や、合計金額、お釣り等の情報を印刷したレシートを出力する。赤外線受発光部４６は、個人ＩＤを受信する受信手段であり、前述の携帯電話１１との間で赤外線によってデータの送受信を行う。
【００２４】
バーコードリーダ４７は、購入商品のデータを入力する際に店員によって使用され、商品に記載されたバーコードを読み取って購入商品のデータがＣＰＵ４０に送信する。ＬＡＮ接続部４８には、ＬＡＮケーブル１５が接続されており、このＬＡＮケーブル１５を介してＰＯＳデータや店舗データをＰＯＳデータ管理サーバ１３に送信する。
【００２５】
さらに、ＬＡＮ接続部４８には、無線送受信部５３が接続され、この無線送受信部５３は、無線ＬＡＮアンテナ５４が接続されている。本実施形態では、携帯端末として携帯電話１４を使用する場合を例に説明するが、携帯端末として、ＰＤＡ（Personal Digital Assistance）や、ノート型パソコン等を用いた場合、この無線ＬＡＮアンテナ５４を介して、これらとデータの送受信を行う。
【００２６】
以上、レジ端末１２ａの電気的構成について説明したが、レジ端末１２ｂも同様の構成であるので、詳しい説明を省略する。
【００２７】
次に、ＰＯＳデータ管理サーバ１３の電気的構成について説明する。図３に示すように、ＰＯＳデータ管理サーバ１３は、データサーバ６０を備えている。このデータサーバ６０は、ＣＰＵや記憶部等を備えて構成されており、ＬＡＮ接続部６１、インターネット接続部６２、及び公衆回線接続部６３が接続されている。ＬＡＮ接続部６１は、前述のＬＡＮ接続部４８とＬＡＮケーブル１５にて接続されている。また、インターネット接続部６２は、インターネットへの接続に用いられ、インターネットに接続されたパソコン２０や携帯電話１４との間でデータの送受信を行う。公衆回線接続部６３は、公衆回線１６との接続に用いられ、公衆回線１６を利用してデータの送受信を行う。
【００２８】
次に、上記構成のＰＯＳデータ配信システム１０の作用を説明する。最初に、個人ＩＤの登録処理について、図４のフローチャートを用いて説明する。顧客が店舗１１にて商品を購入する際、店員がバーコードリーダ４７を用いて商品データをレジ端末１２ａに入力する。商品データの入力終了後、レジ端末１２ａによって合計金額が計算される。
【００２９】
金額の支払いは、現金で行っても良いし、クレジットカードで行っても良い。また、支払い機能が内蔵されている携帯電話、例えば、おサイフケータイ（登録商標）等の場合、携帯電話で支払い処理をしても良い。この時、ＰＯＳデータがＰＯＳデータ記憶部に一時的に記憶される。
【００３０】
金額の支払いが終了した後、顧客は、ＰＯＳデータ配信システム１０を利用するために、個人ＩＤの登録を行うか否かを選択する。個人ＩＤを登録する場合、携帯電話１４の赤外線受発光部３２を赤外線受発光部４６に近づけて個人ＩＤをレジ端末１２ａに送信する。
【００３１】
この個人ＩＤとしては、携帯電話１４の電話番号でも良いし、携帯電話１４の製造番号でも良い。また、個人ＩＤを顧客側で設定可能にしても良い。レジ端末１２ａは、個人ＩＤを受信すると、ＰＯＳデータ記憶部４３に記憶されたＰＯＳデータを個人ＩＤと関連付けして、ＬＡＮケーブル１５を介してＰＯＳデータ管理サーバ１３に送信する。この時、店舗データ記憶部４４に記憶された店舗データが、ＰＯＳデータとともにＰＯＳデータ管理サーバ１３に送信される。ＰＯＳデータ管理サーバ１３は、個人ＩＤと関連付けされたＰＯＳデータ、及び店舗データをデータサーバ６０に記憶させる。
【００３２】
レジ端末１２ａは、レシート上に接続情報を印刷して、このレシートが顧客に渡される。この接続情報は、図５に示すように、レシート７０の後端側に印刷され、接続先のアドレスを示すＵＲＬ、個人ＩＤ、及びパスワードを示す文字情報７１である。また、図６に示すレシート７５のように、ＵＲＬを示す２次元バーコード７６と、個人ＩＤ及びパスワードを示す文字情報７７とで接続情報を構成しても良い。
【００３３】
次に、受信端末としてパソコン２０を用いてＰＯＳデータを取得する場合の取得処理について、図７のフローチャートを用いて説明する。最初に、パソコン２０の電源をＯＮにし、ＷＥＢブラウザを起動する。ＵＲＬを入力して接続する場合、レシート７０に印刷されたＵＲＬを入力して接続する。ＵＲＬを入力せずに接続する場合、レシート７５に印刷された２次元バーコード７６をスキャンする。
【００３４】
ＵＲＬを直接入力した場合も、２次元バーコード７６をスキャンした場合も、個人ＩＤ及びパスワードの入力画面が表示される。この入力画面にて、レシート７０またはレシート７５に印刷された個人ＩＤ及びパスワードを入力すると、ＰＯＳデータ管理サーバ１３に接続され、ダウンロード方式を選択する選択画面が表示される。
【００３５】
この選択画面は、「画面表示」または「ＣＳＶ(Comma Separated Value)形式でダウンロード」を選択する画面であり、「ＰＯＳデータを画面表示」が選択されると、ＰＯＳデータ及び店舗データがディスプレイに表示される。また、「ＣＳＶ形式でダウンロード」が選択されると、ＰＯＳデータ及び店舗データが、ＣＳＶ形式でダウンロードされてハードディスクに記憶される。なお、ＣＳＶ形式とは、値をカンマで区切って並べた形式であるが、他の形式でダウンロードしても良い。
【００３６】
前述のように、ＰＯＳデータ及び店舗データを容易に取得することができる。このため、パソコンのキーボードを用いて購入した商品のデータを入力する場合と比較して、家計簿を容易に作成することが可能である。
【００３７】
次に、受信端末として携帯電話１４を用いてＰＯＳデータを取得する場合の取得処理について、図８のフローチャートを用いて説明する。最初に、携帯電話１４のモードをインターネットに接続するためのモードであるインターネットモードに切り替える。ＵＲＬを入力して接続する場合、レシート７０に印刷されたＵＲＬを入力して、ＰＯＳデータ管理サーバ１３に接続する。この時、個人ＩＤ及びパスワードの入力画面が表示される。また、２次元バーコード７６をスキャンして接続する場合、バーコード読み取り部３１によってレシート７５に印刷された２次元バーコード７６をスキャンしてＰＯＳデータ管理サーバ１３に接続する。この場合も同様に、個人ＩＤ及びパスワードの入力画面が表示される。
【００３８】
顧客が、レシート７０またはレシート７５に印刷された個人ＩＤ及びパスワードを入力すると、ＰＯＳデータ及び店舗データが携帯電話１１に送信される。これらのＰＯＳデータ及び店舗データは、データ記憶部３３に記憶される。また、携帯電話１４に対して着脱自在に装填されたメモリカード（図示せず）に、ＰＯＳデータ及び店舗データを記憶させても良い。
【００３９】
その後、インターネット接続が切断され、店舗データを登録するか否かのメッセージが表示される。店舗データを登録しないことを選択すると、取得処理が終了する。また、店舗データを登録することを選択すると、複数のジャンル（スーパー、コンビニエンスストア、レストラン）が表示される。顧客が複数のジャンルの中から所定のジャンルを選択すると、ジャンル分け部３０ａによって店舗データが選択されたジャンルのフォルダに記憶されて、取得処理が終了する。
【００４０】
また、ジャンル分けを細かくして、例えば、レストランの中でも、「フレンチ」、「イタリアン」、「中華」、「和食」等のジャンルを設けても良い。このように、ジャンル毎に分けて店舗データを記憶させることにより、後日電話で予約する際に検索部３０ｂによって所望の店舗を容易に検索することができる。また、システムコントローラ３０がＧＰＳセンサ３８から位置情報を取得し、検索部３０ｂが現在地から近い店舗を優先して検索して表示することもできる。
【００４１】
前述のように、携帯電話１４によってＰＯＳデータを取得した場合でも、ＰＯＳデータ及び店舗データを容易に取得することができる。このため、自宅のパソコンでメモリカードに記憶されたデータを読み込むことにより、家計簿を容易に作成することが可能である。
【００４２】
なお、上記作用の説明では、インターネット１７を介してＰＯＳデータ及び店舗データを携帯電話１４で取得する場合を例に説明したが、公衆回線を利用してＰＯＳデータ管理サーバ１３に接続して、ＰＯＳデータ及び店舗データを取得しても良い。この場合、レシート７０，７５上にＰＯＳデータ管理サーバ１３の電話番号を記載しておき、この電話番号を携帯電話１４でダイヤルしてアクセスすれば良い。
【００４３】
また、上記実施形態において、レジ端末１２ａ，１２ｂ内に店舗データ記憶部４４を設けた場合を例に説明したが、店舗データを予めデータサーバ６０に記憶させておいても良い。
【００４４】
さらに、上記実施形態において、接続情報をレシート上に印刷して顧客に渡す場合を例に説明したが、これに限るものではなく、赤外線受発光部を用いて接続情報を携帯端末に送信しても良い。
【００４５】
また、上記実施形態において、レジ端末を店舗内に２台配置した場合を例に説明したが、これに限るものではなく、レジ端末を店舗に１台配置しても良いし、２台以上配置しても良い。
【００４６】
また、上記実施形態において、レジ端末とＰＯＳデータ管理サーバとがＬＡＮ接続されている場合を例に説明したが、これに限るものではなく、例えば、レジ端末とＰＯＳデータ管理サーバをインターネットで接続しても良い。この場合、ＰＯＳデータ管理サーバを店舗外に配置することができる。
【図面の簡単な説明】
【００４７】
【図１】ＰＯＳデータ配信システムの構成を示す概略図である。
【図２】携帯電話の電気的構成を示すブロック図である。
【図３】レジ端末及びＰＯＳデータ管理サーバの電気的構成を示すブロック図である。
【図４】個人ＩＤの登録処理を説明するフローチャートである。
【図５】レシートに印刷される文字情報を説明する平面図である。
【図６】レシートに印刷される２次元バーコード及び文字情報を説明する平面図である。
【図７】パソコンによってＰＯＳデータ及び店舗データを取得する取得処理を説明するフローチャートである。
【図８】携帯電話によってＰＯＳデータ及び店舗データを取得する取得処理を説明するフローチャートである。
【符号の説明】
【００４８】
１０  ＰＯＳデータ配信システム
１１  店舗
１２ａ，１２ｂ  レジ端末
１３  ＰＯＳデータ管理サーバ
１４  携帯電話
１６  公衆回線
１７  インターネット
２０  パソコン
３０  システムコントローラ
３０ａ  ジャンル分け部
３０ｂ  検索部
３２，４６  赤外線受発光部
７０，７５  レシート
７１，７７  文字情報
７６  ２次元バーコード
【図１】
2006244197.tif 000003
【図２】
2006244197.tif 000004
【図３】
2006244197.tif 000005
【図４】
2006244197.tif 000006
【図５】
2006244197.tif 000007
【図６】
2006244197.tif 000008
【図７】
2006244197.tif 000009
【図８】
2006244197.tif 000010